(57)【要約】  【課題】  光学的指向軸が所定角度を成すようにして複数の光学フィルムが積層されてなる光学フィルム積層体を製造する場合において、歩留まりを向上させることを一の目的とする。また、光学フィルム積層体を効率よく製造することを他の目的とする。  【解決手段】  長尺状に形成され光学的な指向軸を有する第一の光学フィルムの一部と、長尺状に形成され光学的な指向軸を有する第二の光学フィルムの一部とを、該指向軸同士が所定角度を成すように積層して積層中間体とした後、該積層中間体を切断して前記第一及び第二の光学フィルムが積層されてなる光学フィルム積層体を製造する光学フィルム積層体の製造方法であって、前記第一の光学フィルム又は前記第二の光学フィルムのうち少なくとも何れか一方を、前記光学フィルム積層体の輪郭を構成する何れかの辺と平行又は一致する切断線によって切断して切断片とした後、該切断片と他方の光学フィルムとを積層し、前記積層中間体とすることを特徴とする。【選択図】      図４
2008176280.tif 000002
【特許請求の範囲】
【請求項１】
長尺状に形成され光学的な指向軸を有する第一の光学フィルムの一部と、長尺状に形成され光学的な指向軸を有する第二の光学フィルムの一部とを、該指向軸同士が所定角度を成すように積層して積層中間体とした後、該積層中間体を切断して前記第一及び第二の光学フィルムが積層されてなる光学フィルム積層体を製造する光学フィルム積層体の製造方法であって、
前記第一の光学フィルム又は前記第二の光学フィルムのうち少なくとも何れか一方を、前記光学フィルム積層体の輪郭を構成する何れかの辺と平行な又は一致する切断線によって切断して切断片とした後、該切断片と他方の光学フィルムとを積層し、前記積層中間体とすることを特徴とする光学フィルム積層体の製造方法。
【請求項２】
前記第一の光学フィルムの長手方向と、前記第二の光学フィルムの長手方向との成す角度θが、０°＜θ≦３５°であることを特徴とする請求項１記載の光学フィルム積層体の製造方法。
【請求項３】
前記第一及び第二の光学フィルムのうち、何れか一方が偏光フィルムであり、他方が位相差フィルム又は輝度向上フィルムであることを特徴とする請求項１又は２に記載の光学フィルム積層体の製造方法。
【請求項４】
前記切断片を他方の光学フィルムに積層した際、他方の光学フィルムからはみだした部分を更に切断して他方の光学フィルムにおける一方の光学フィルムの未積層部分に積層することにより、前記積層中間体とすることを特徴とする請求項１〜３の何れかに記載の光学フィルム積層体の製造方法。
【発明の詳細な説明】
【技術分野】
【０００１】
本発明は、主に、光学フィルム積層体の製造方法に関し、より詳しくは、偏光フィルムや光学補償フィルム等の光学フィルムが積層されてなる光学フィルム積層体の製造方法に関する。
【背景技術】
【０００２】
近年、液晶表示装置においては、偏光フィルムのみならず、使用される液晶セルの複屈折性に起因した視認性の欠点を改善するべく、各種光学補償フィルムが用いられており、これら偏光フィルムや光学補償フィルムが積層されてなる光学フィルム積層体が、前記液晶表示装置の一部を構成している場合が多い。
【０００３】
ところで、上記光学フィルム積層体は、偏光フィルムや光学補償フィルムといった個々の光学フィルムがそれぞれ別々に作成された後、これを貼り合わせ、所定寸法及び所定形状に切断されて製造されるものであるところ、該光学フィルム積層体における特有の問題点として、各光学フィルムは個々に所定の光学的な指向軸を有しており、前記光学フィルム積層体を作成する際には、この各光学フィルムの光学的指向軸を所定の角度を成すようにして積層しなければならない点が挙げられる。
【０００４】
さらに、このような光学フィルム積層体が液晶表示装置の一部材として使用される際には、該光学フィルム積層体を液晶表示装置の寸法及び形状に応じた寸法と形状に切断されるが、この場合にも、光学フィルム積層体の形状に対して、前記各光学フィルムの光学的指向軸が所定方向を向くように調整する必要がある。
【０００５】
例えば、偏光フィルムと位相差フィルムとが積層され、矩形状に切断されてなる液晶表示装置用の光学フィルム積層体を製造する場合について説明すると、該光学フィルム積層体の矩形状の輪郭を成す一辺と、前記偏光フィルムの吸収軸と、前記位相差フィルムの遅相軸とが、所定角度を成すように構成されなければならない。
【０００６】
従来、この種の光学フィルム積層体の製造方法としては、例えば、下記特許文献１のような方法が知られている。該特許文献１記載の方法は、図６及び７に示すように、長尺状に形成された一の光学フィルム１０１（例えば、位相差フィルム）と、長尺状に形成された他の光学フィルム１０２（例えば、偏光フィルム）とを積層して積層中間体１０３とし、その後、該積層中間体１０３を所定形状（例えば、微少な矩形状）のチップ１０４に切断する方法である。ここで、前記一の光学フィルム１０１と他の光学フィルム１０２とを積層する際には、前記一の光学フィルム１０１と他の光学フィルム１０２とが所定角度、即ち、位相差フィルム１０１の遅相軸Ｘと偏光フィルムの吸収軸Ｙとが所定角度を成すようにし積層することを考慮し、重なった両フィルムの端部が一致するように前記一の光学フィルム１０１を平行四辺形状の切断片１０１ａに切断しておくことを特徴とするものである。尚、本明細書において、該方法を便宜的に従来型Ａ方式と称することとする。
【０００７】
【特許文献１】特開平１１−２３１１２９号公報
【０００８】
このような従来型Ａ方式の製造方法は、それ以前の従来方法、即ち、一の光学フィルムと他の光学フィルムとを別々にチップ状に切断した後、チップ状のフィルム同士を貼りあわせる方法と比べ、作業効率を改善しうるものである。
【０００９】
また、従来型Ａ方式とは異なる光学フィルム積層体の製造方法として、以下のような方法も検討されている。つまり、図８及び９に示すように、長尺状に形成された一の光学フィルム２０１（例えば、位相差フィルム）と、長尺状に形成された他の光学フィルム２０２（例えば、偏光フィルム）とを積層して積層中間体２０３とし、その後、該積層中間体２０３を所定形状（例えば、微少な矩形状）のチップ２０４に切断する方法であり、前記一の光学フィルム２０１と他の光学フィルム２０２とを積層する際に、前記一の光学フィルム２０１を予め所定長さの矩形状切断片２０１ａに切断しておき、該切断片２０１ａを他の光学フィルム２０２上に所定角度で、即ち、位相差フィルム２０１の遅相軸Ｘと偏光フィルムの吸収軸Ｙとが所定角度を成すようにして積層し、他の光学フィルムからはみ出した一の光学フィルムの一部分を切断して未積層部分に移動させて積層することによって積層中間体２０３とし、さらに該積層中間体２０３を微少な矩形状のチップ２０４に切断するものである。尚、本明細書において、該方法を便宜的に従来型Ｂ方式と称することとする。
【００１０】
斯かる従来型Ｂ方式は、一の光学フィルムの長手方向と他の光学フィルムの長手方向との積層角度が浅い場合に、前記従来型Ａ方式においては極めて長い平行四辺形状となるように一の光学フィルムを切断しなければならず、そのような切断作業及び切断後のフィルムの取扱いが困難となることに鑑みてなされたものである。つまり、該従来型Ｂ方式では、一の光学フィルムを、他の光学フィルムとの積層角度を考慮することなく矩形状に切断するようにしたことにより、一の光学フィルムの切断作業及び切断後のフィルム切断片の取扱いを容易にしつつ、積層によってはみ出した部分についても有効活用して歩留まりの改善を図ろうとするものである。
【発明の開示】
【発明が解決しようとする課題】
【００１１】
しかしながら、これら従来型Ａ方法や従来型Ｂ方式の何れの方法に於いても、一の光学フィルムと他のフィルムとを積層して積層中間体とした後、該積層中間体を再び切断する工程が必要であり、その切断工程において製品形状を満たさない余剰部分が必然的に発生し、歩留まりを低下させるという問題がある。
つまり、従来型Ａ方式及び従来型Ｂ方式の何れの方式に於いても、積層中間体の周辺近傍には、所定の製品形状を確保できない部分が切れ端として残り、その部分は廃棄せざるを得ないのである。
【００１２】
本発明は、このような従来技術の問題点に鑑みてなされたものであり、光学的指向軸が所定角度を成すようにして複数の光学フィルムが積層されてなる光学フィルム積層体を製造する場合において、歩留まりを向上させることを一の目的とする。また、本発明は、このような光学フィルム積層体を効率よく製造することを他の目的とする。
【課題を解決するための手段】
【００１３】
本発明は、長尺状に形成され光学的な指向軸を有する第一の光学フィルムの一部と、長尺状に形成され光学的な指向軸を有する第二の光学フィルムの一部とを、該指向軸同士が所定角度を成すように積層して積層中間体とした後、該積層中間体を切断して前記第一及び第二の光学フィルムが積層されてなる光学フィルム積層体を製造する光学フィルム積層体の製造方法であって、前記第一の光学フィルム又は前記第二の光学フィルムのうち少なくとも何れか一方を、前記光学フィルム積層体の輪郭を構成する何れかの辺と平行又は一致する切断線によって切断して切断片とした後、該切断片と他方の光学フィルムとを積層し、前記積層中間体とすることを特徴とする光学フィルム積層体の製造方法を提供する。
【００１４】
斯かる構成による本発明の光学フィルム積層体の製造方法によれば、前記第一の光学フィルム又は前記第二の光学フィルムのうち少なくとも何れか一方を、前記光学フィルム積層体の輪郭を構成する何れかの辺と平行又は一致する切断線によって切断（以下、この切断工程を「第一の切断工程」ともいう）して切断片とした後、該切断片と他方の光学フィルムとを積層し、前記積層中間体とすることにより、その後、該積層中間体を切断（以下、この切断工程を「第二の切断工程」ともいう）して光学フィルム積層体とする際に、積層中間体の周辺近傍において発生する切れ端を大幅に低減することが可能となる。
つまり、上述した従来型Ａ方式及び従来型Ｂ方式の何れの製造方法においても、本発明と同じく、第一の切断工程、積層工程、及び第二の切断工程という工程を経て製品たる光学フィルム積層体が作成されるが、これら第一の切断工程及び第二の切断工程においてフィルムを切断する切断線が一致しておらず又は平行でもなかったため、製品とならない切れ端が多く発生していたのであるが、本発明によれば、これら第一の切断工程及び第二の切断工程における切断線が一致し又は平行となるため、製品とならない切れ端の発生を大幅に低減することが可能となる。
【００１５】
また、本発明に係る光学フィルム積層体の製造方法によれば、第一の切断工程における切断線と第二の切断工程における切断線とが一致または平行となるため、第二の切断工程において積層中間体の切断を行う際の切断線を決定しやすいという効果がある。
【発明の効果】
【００１６】
以上のように、本発明に係る光学フィルム積層体の製造方法によれば、光学的指向軸が所定角度を成すようにして複数の光学フィルムが積層されてなる光学フィルム積層体を製造する場合において、歩留まりを向上させることが可能となる。
また、本発明によれば、第一の切断工程における切断線と第二の切断工程における切断線とが一致又は平行となるため、第二の切断において切断線の決定が容易且つ正確となり、光学フィルム積層体を効率よく製造することが可能となる。
【発明を実施するための最良の形態】
【００１７】
図１〜５は、本発明に係る光学フィルム積層体の製造方法の一実施形態を示した概念図である。本実施形態では、長尺状に形成され光学的な指向軸を有する第一の光学フィルムとして位相差フィルム１が用いられ、長尺状に形成され光学的な指向軸を有する第二の光学フィルムとして偏光フィルム２が用いられている。また、本実施形態では、これらの光学フィルムを所定角度で積層させて、図５に示したような、対向する一対の長辺４１と、対向する一対の短辺４２とから構成される矩形状の光学フィルム積層体４を製造する場合について説明する。
【００１８】
図１〜４に示すように、本実施形態に係る光学フィルム積層体の製造方法は、長尺状に形成された第一の光学フィルムである位相差フィルム１を切断する第一の切断工程（図１）と、長尺状に形成された第二の光学フィルムである偏光フィルム２に前記第一の切断工程によって切断された位相差フィルム１ａを積層して積層中間体３とする積層工程（図２）と、該積層中間体３を切断して前記位相差フィルム１と前記偏光フィルム２とが積層されてなる複数の矩形状光学フィルム積層体４とする第二の切断工程（図４）とを備えたものである。
【００１９】
ここで、第一の光学フィルムである位相差フィルム１は、そのフィルム面内に於ける向きによって透過光の屈折率が異なるフィルムであり、屈折率が最大であって透過光の位相が最も遅れた状態となる方向（遅相軸という）と、屈折率が最小であって透過光の位相が最も進んだ状態となる方向（進相軸という）とを有するものである。本実施形態では、長尺状に形成されたフィルムの長軸と平行に遅相軸が形成されてなる位相差フィルム１を第一の光学フィルムとして使用し、その遅相軸（図中「Ｘ」で示す）を第一の光学フィルム１における光学的な指向軸とする。
【００２０】
また、第二の光学フィルムである偏光フィルム２は、そのフィルム面内に於いて透過光の波長を透過しない方向（吸収軸という）と透過する方向（透過軸という）とを有するものである。本実施形態では、長尺状に形成されたフィルムの長軸と平行に吸収軸が形成されてなる偏光フィルム２を第二の光学フィルムとして使用し、その吸収軸（図中「Ｙ」で示す）を第二の光学フィルムにおける光学的な指向軸とする。
【００２１】
さらに、本実施形態は、長辺４１と短辺４２によって輪郭が構成されてなる矩形状の光学フィルム積層体４を作成する場合について説明するものであり、前記長辺４１と平行な方向を基準軸（図中「Ｚ」で示す）とする。また、該基準軸Ｚと前記遅相軸Ｘとの成す角度をθ１と表記し、該基準軸Ｚと前記吸収軸Ｙとの成す角度をθ２と表記するものとする。
より具体的には、本実施形態では、基準軸Ｚと前記遅相軸Ｘとの成す角度θ１が６５°であり、該基準軸Ｚと前記吸収軸Ｙとの成す角度θ２が４５°であるような光学フィルム積層体４を作成する場合について説明する。
【００２２】
第一の切断工程は、図１に示す如く、第一の光学フィルムである位相差フィルム１を所望の長さＬの切断片１ａに切断する工程である。本発明においては、この第一の切断工程におけるフィルムの切断線１１を、作成すべき光学フィルム積層体４の輪郭を構成する何れかの辺と一致させるか又は平行なものとする。ここで、光学フィルム積層体４の輪郭を構成する辺は、光学フィルム積層体４の用途に応じて任意の形状とすることができ、直線状又は曲線状の何れであってもよい。第一の切断工程における切断線１１は、光学フィルム積層体４の輪郭を構成する辺から任意の辺を選択し、該辺を基準として決定されるものである。具体的には、該辺と一致させるか又は平行なものとする。
【００２３】
本実施形態においては、第一の切断工程におけるフィルムの切断線１１は、前記矩形状の光学フィルム積層体４の輪郭を構成する長辺４１および短辺４２のうち、長辺４１を基準とし、該長辺４１と平行となるように設定されている。
ここで、該長辺４１は、光学フィルム積層体４において基準軸Ｚと平行であり、該基準軸Ｚは光学フィルム積層体４において位相差フィルム１の遅相軸Ｘと角度θ１を成すものである。従って、第一の切断工程における光学フィルムの切断線１１は、位相差フィルム１の遅相軸Ｘと角度θ１を成すように設定することができる。
【００２４】
例えば、本実施形態のように、作成すべき矩形状の光学フィルム積層体４（図５に示す）において基準軸Ｚと遅相軸Ｘとの成す角度θ１が６５°である場合には、第一の切断工程における位相差フィルム４の切断線１１と前記遅相軸Ｘとの成す角度を６５°とすればよい。
【００２５】
尚、該第一の切断工程における位相差フィルム１の切断長さＬは、特に限定されるものではなく、フィルムの切断や切断後のフィルムの取扱いおける作業の簡便性を考慮して、適宜設定することが可能である。
【００２６】
積層工程は、図２に示す如く、前記第一の切断工程によって切断された位相差フィルム１の切断片１ａを、前記第二の光学フィルムとしての偏光フィルム２に積層する工程である。両フィルムを積層する際には、作成すべき光学フィルム積層体４における第一の光学フィルムの光学的指向軸Ｘと第二の光学フィルムの光学的指向軸Ｙとの成す角度を満たすように、両フィルムを積層する。
【００２７】
本実施形態においては、図５に示すように、作成すべき矩形状の光学フィルム積層体４において遅相軸Ｘと吸収軸Ｙとの成す角度θが、θ１−θ２であるため、遅相軸Ｘと吸収軸Ｙとが角度θ１−θ２を成すように、偏光フィルム２と位相差フィルム切断片１ａとを積層する。
例えば、本実施形態のように、作成すべき矩形状の光学フィルム積層体４において遅相軸Ｘと吸収軸Ｙとの成す角度θ１−θ２が２０°である場合には、該積層工程において、そのような角度となるように両フィルムを積層する。
【００２８】
尚、本発明においては、前記第一の切断工程における切断線１１が、作成すべき光学フィルム積層体４の何れかの辺（即ち、基準軸Ｚ）と一致しているか又は平行となものとするため、該切断線１１と第二の光学フィルムの光学的指向軸Ｙ（本実施形態では、偏光フィルムの吸収軸Ｙ）との角度がθ２（本実施形態では、４５°）となるように角度を調整して両フィルムを積層してもよい。
【００２９】
さらに、本実施形態においては、該積層工程の後、積層した位相差フィルム切断片１ａのうち、偏光フィルム２からはみ出した部分１ｂを切断し、その切断された部分１ｂを、偏光フィルム２における位相差フィルム切断片１ａの未積層部分に積層する工程により積層中間体としている。具体的には、図３に示す如く、積層された位相差フィルム切断片１ａのうち、偏光フィルム２からはみ出した三角形状の部分１ｂを切断し、切断された三角形状の部分１ｂを前記第一の切断工程における切断線１１と平行に移動し、偏光フィルム２において位相差フィルム切断片１ａの積層されていない部分に積層することにより、積層中間体を加工している。
このような方法により、偏光フィルム２からはみ出した部分の位相差フィルム１を有効利用し、より一層歩留まりを向上させることができる。
【００３０】
第二の切断工程は、図４に示す如く、前記積層工程によって作成された積層中間体３を所定の製品形状および寸法に切断する工程である。切断によって作成する光学フィルム積層体４の製品形状および寸法は、特に限定されるものではなく、製品の用途に応じて適宜設定することができる。
本発明においては、前記第一の切断工程において、作成すべき光学フィルム積層体４の輪郭を構成する何れかの辺と一致するか又は平行となるようにフィルムの切断線１１が決定されているため、該第二の切断工程においては、前記第一の切断工程によって切断された切断線１１と一致するか又は平行となるように設定された切断線２１を採用することができる。
【００３１】
本実施形態では、図４に示す如く、前記第一の切断工程によって切断された切断線１１と平行な複数の切断線２１と、該切断線２１と直角を成す複数の切断線２２とによって前記積層中間体３を切断することにより、複数の矩形状光学フィルム積層体４を作成している。
【００３２】
本実施形態に係る光学フィルム積層体の製造方法によれば、第一の切断工程において、作成すべき光学フィルム積層体４の輪郭を構成する何れかの辺と一致するか又は平行となるようにフィルムの切断線１１が決定されているため、第二の切断工程において積層中間体３を所定の製品形状および寸法に切断した際に、積層中間体３の周囲に製品形状を満たさない余剰片の発生量を減らし、製品となる光学フィルム積層体４の歩留まりを高めることができる。
具体的には、図４に示す如く、積層中間体３の周囲に於いて、偏光フィルム２の幅方向両端では、従来と同様に製品形状を満たさない余剰片が生じているものの、偏光フィルム２の長手方向両端では、余剰片が殆ど生じないものとなっている。
【００３３】
つまり、上述したような従来型Ａ方式および従来型Ｂ方式のいずれにおいても、光学フィルムが積層されてなる積層中間体を切断して所定形状の光学フィルム積層体を製造する際、その切断線は、積層された光学フィルムの辺（切断線）とは一致しておらず、また平行でもないため、所定形状の光学フィルム積層体に切断した後には、積層中間体の周辺部分に大量の余剰片が生じていたが、本発明では、そのような余剰片の発生を大幅に抑えることができる。
【００３４】
また、第一の切断工程において、作成すべき光学フィルム積層体の輪郭を構成する何れかの辺と一致するか又は平行となるようにフィルムの切断線が決定されているため、第二の切断工程において積層中間体を切断する際に、その切断線が決定しやすくなり、切断作業が容易かつ正確になるという利点がある。
つまり、上述したような従来型Ａ方式および従来型Ｂ方式の何れの製造方法においても、製品の輪郭を構成する切断線は、積層された光学フィルムの辺（フィルム切断の際の切断線）とは一致又は平行ではないため、積層中間体を切断する際には、再度、光学フィルムの光学的指向軸を基準としてその切断線を決定しなければならず、切断作業が煩雑であり、しかも誤った角度で切断線を設定してしまう可能性が高いという問題を有していたが、本発明では、このような切断線の決定が容易となり、誤った角度を設定することも防止することができる。
【００３５】
尚、上記実施形態においては、光学フィルムとして位相差フィルム及び偏光フィルムを用いた場合について説明したが、本発明における光学フィルムとしては、これら偏光フィルムや位相差フィルムに限定されず、光学的指向軸を有する任意のフィルムを採用することができる。具体的には、本発明における光学的指向軸を有する光学フィルムとして、偏光フィルムや位相差フィルムのほか、輝度向上フィルム等を挙げることができる。
輝度向上フィルムとは、液晶表示装置などのバックライトや裏側からの反射などにより入射する自然光のうち、所定偏光軸の直線偏光又は所定方向の円偏光を反射し、他の光は透過する特性を示すものである。即ち、輝度向上フィルムを偏光子と保護層とからなる偏光板と積層した偏光板は、バックライト等の光源からの光を入射させて所定偏光状態の透過光を得ると共に、前記所定偏光状態以外の光は透過せずに反射させ、反射した光を更にその後ろ側に設けられた反射層等を介し反転させて輝度向上板に再入射させることにより、輝度向上フイルムを透過する光の増量を図ると共に、偏光子に吸収されにくい偏光を供給して液晶画像表示等に利用しうる光量の増大を図ることにより輝度を向上させうるものである。
【００３６】
また、本発明における光学フィルムとしては、光学的指向軸を有する上記フィルムと、光学的指向軸を有さない他のフィルムとが積層されてなる光学フィルムを用いてもよい。
【００３７】
また、前記第一の光学フィルムと前記第二の光学フィルムとの成す角度θについても特に限定されるものではく、これら光学フィルムにおける光学的指向軸の方向や、製品となる光学フィルム積層体において満たすべき光学的特性に応じて、適宜設定することができる。
但し、前記第一の光学フィルムの長手方向と、前記第二の光学フィルムの長手方向との成す角度θが、０°＜θ≦３５°の範囲内であるような光学フィルム積層体を製造する際には、従来型Ａ方式では極めて長い光学フィルム切断片を取り扱う必要があり、切断作業および切断後の取扱作業が困難となっていたが、本発明によれば、このような角度θの範囲であっても、取扱容易な長さに光学フィルムを切断することが可能となり、作業性が悪化しないという利点もある。
【００３８】
また、上記実施形態における積層工程では、長尺状である第二の光学フィルムを切断せずに第一の光学フィルムと積層する場合について説明したが、本発明はこのような実施形態に限定されるものではなく、予め長尺状の第二の光学フィルムを所定の長さに切断した後、該切断片を積層するようにしてもよい。第二の光学フィルムを予め切断する場合には、その切断線は、作成すべき光学フィルム積層体の輪郭を構成する何れかの辺と一致させるか又は平行なものとすることが好ましい。
【００３９】
また、上記実施形態では、２枚の光学フィルムが積層されてなる光学フィルム積層体を作成する場合について説明したが、本発明はこれに限定されず、上記実施形態で説明した工程に加え、他の光学フィルムを積層する工程を更に備えることにより、３枚以上の光学フィルムが積層されてなる光学フィルム積層体を作成することも可能である。
【００４０】
また、本発明において、光学フィルムを積層させて一体化する手段については特に限定されるものではなく、例えば、接着剤や粘着剤等を使用する方法など、任意の方法を採用することができる。
【実施例】
【００４１】
上記実施形態に示した光学フィルム積層体の製造方法によって光学フィルム積層体を作成した場合と、従来型Ａ方式及び従来型Ｂ方式の光学フィルム積層体の製造方法によって光学フィルム積層体を作成した場合について、歩留まりの対比をシミュレーションによって計算した。計算条件として、位相差フィルムと幅約６３０ｍｍの偏光フィルムとを５°、２０°、３５°及び４０°の角度を成すように積層して積層中間体とし、それぞれの積層中間体から製品寸法３０ｍｍ×４０ｍｍの光学フィルム積層体を切断する場合を仮定した。尚、位相差フィルムの幅は、偏光フィルムからはみ出した部分を切断し、その切断された部分を、偏光フィルムにおける位相差フィルム未積層部分に積層する工程により得られる積層中間体が、偏光フィルムの幅方向において余長ないように平行四辺形状となるように決定した。計算結果を下記表１に示す。
【００４２】
【表１】
2008176280.tif 000003
【００４３】
表１に示したように、本発明の実施例では、従来の方法と比べて切断片の長さが短くなって作業効率が改善されているとともに、歩留りも改善されていることが認められる。
【図面の簡単な説明】
【００４４】
【図１】本発明の一実施形態に係る光学フィルム積層体の製造方法において、第一の光学フィルムである位相差フィルム１を切断する第一の切断工程を示した概念図。
【図２】本発明の一実施形態に係る光学フィルム積層体の製造方法において、第一の切断工程によって切断された位相差フィルム切断片１ａを、第二の光学フィルムである偏光フィルム２に積層する積層工程を示した概念図。
【図３】本発明の一実施形態に係る光学フィルム積層体の製造方法において、積層工程によって偏光フィルム２からはみ出した位相差フィルム切断片１ａの一部分１ｂを切断し、偏光フィルム２に於ける位相差フィルムの未積層部分に積層する工程を示した概念図。
【図４】本発明の一実施形態に係る光学フィルム積層体の製造方法において、前記積層工程によって作成された積層中間体３を、所定の製品形状の光学フィルム積層体４に切断する第二の切断工程を示した概念図。
【図５】本発明の一実施形態に係る光学フィルム積層体の製造方法によって作成された光学フィルム積層体４を拡大して示した平面図（ａ）と断面図（ｂ）。
【図６】従来型Ａ方式の製造方法において、一の光学フィルム１０１を切断する工程、及び切断された切断片１０１ａを他の光学フィルム１０２に積層し、積層中間体１０３とする工程を示した概念図。
【図７】従来型Ａ方式の製造方法において、積層中間体１０３を切断して、所定形状の光学フィルム積層体１０４とする工程を示した概念図。
【図８】従来型Ｂ方式の製造方法において、一の光学フィルム２０１を切断する工程、及び切断された切断片２０１ａを他の光学フィルム２０２に積層し、積層中間体２０３とする工程を示した概念図。
【図９】従来型Ｂ方式の製造方法において、積層中間体２０３を切断して、所定形状の光学フィルム積層体２０４とする工程を示した概念図。
【符号の説明】
【００４５】
１      第一の光学フィルム（位相差フィルム）
１ａ    第一の光学フィルムの切断片
２      第二の光学フィルム（偏光フィルム）
３      積層中間体
４      光学フィルム積層体
１１    切断線
Ｘ      第一の光学フィルム（位相差フィルム）における光学的指向軸（遅相軸）
Ｙ      第二の光学フィルム（偏光フィルム）における光学的指向軸（吸収軸）
Ｚ      基準軸
【図１】
2008176280.tif 000004
【図２】
2008176280.tif 000005
【図３】
2008176280.tif 000006
【図４】
2008176280.tif 000007
【図５】
2008176280.tif 000008
【図６】
2008176280.tif 000009
【図７】
2008176280.tif 000010
【図８】
2008176280.tif 000011
【図９】
2008176280.tif 000012